(57)【要約】【課題】簡便に組み立てが可能な基板ボックスを備える遊技機を提供する。【解決手段】収納部材４０とベース部材３０よりなる基板ボックス５０に遊技制御基板２０を収納して遊技制御装置を構成し、ベース部材３０の上部外側起立壁３１ａと上部内側起立壁３２ａとの間に形成されるスライド溝３０ｂと下部外側起立壁３１ｂと下部内側起立壁３２ｂとの間に形成されるスライド溝３０ｂに、収納部材４０の上部収納側壁４１ａおよび下部収納側壁４１ｂを各々嵌入してスライドさせることにより、収納部材４０に設けた第１係合突出片４７ａ等をベース部材３０に設けた第１係合受入部３３ａ等に係合させ、遊技制御基板２０を空間的余裕のある状態で基板ボックス５０内に収納する。【選択図】図７
2010234122.tif 000002
【特許請求の範囲】
【請求項１】
遊技機の動作に関わる電気的制御を実行するための電子部品とコネクタを実装した制御基板を内包する基板ボックスを備える遊技機において、
前記基板ボックスは、
前記制御基板を基板ボックスに収納した状態で前記電子部品やコネクタを実装する実装面と対向する上面と、該上面から前記制御基板側に延設し、前記制御基板の収納部を形成する収納側壁と、を備える収納部材と、
前記制御基板を基板ボックスに収納した状態で前記電子部品やコネクタを実装する実装面の裏面と対向する底面と、該底面から前記制御基板側に起立した外側起立壁と、を有し、前記収納部材の収納部の開口を塞ぐベース部材と、
から構成し、
前記収納部材は、前記制御基板に設けたコネクタを挿通するためのコネクタ挿通開口部と、前記基板ボックス組み付けの際に、前記制御基板を載置するための制御基板載置部と、を備え、
前記ベース部材は、長手方向に亘って前記外側起立壁の内側に、該外側起立壁と平行に形成され、前記制御基板側に起立し、端縁部が前記電子部品やコネクタを実装する実装面の裏面と対向する内側起立壁を備え、
前記収納部材の収納側壁に係合部を形成し、
前記ベース部材の外側起立壁には、前記係合部を受け入れる受入部と、該受入部に係合部を受け入れた状態で係合方向へスライドさせた場合に前記ベース部材と収納部材とが離間するのを防止する離間防止部と、を形成し、
前記収納部材の前記収納側壁を前記ベース部材の前記内側起立壁と前記外側起立壁の間のスライド溝に嵌め込み、前記収納部材の係合部を前記ベース部材の受入部から受け入れ、前記ベース部材に対して前記収納部材を所定の係合方向へスライドすることにより、受入部から受け入れられた係合部が離間防止部まで移動して、前記収納部材と前記ベース部材が基板ボックスとして適切な状態に係合されるものとし、
前記収納部材と前記ベース部材を係合した際、前記内側起立壁の端縁部と前記制御基板載置部との間に、前記制御基板の板厚より大きい間隔となる基板保持空部を形成することを特徴とする遊技機。
【発明の詳細な説明】
【技術分野】
【０００１】
本発明は、遊技機の動作に関わる電気的制御を実行するための電子部品とコネクタを実装した略四角形状の制御基板を内包した基板ボックスを備える遊技機に関し、特に、基板ボックスの収納構造に技術的特徴の存するものである。
【背景技術】
【０００２】
多様な遊技性が求められる遊技機（パチンコ機やパチスロ機等）においては、遊技中に所定条件が達成されることでゲームが行われ、そのゲーム結果に応じて更に別のゲームが行われるような、多段階的に遊技状態が変化するものが一般に利用されており、そのための遊技制御は、各種電子部品が実装された制御基板により行われている。
【０００３】
制御基板は、所定の遊技制御プログラムに基づいて動作するものであることから、遊技制御プログラムを改竄して、不正な利益を得ようとする不正行為が行われる可能性があるので、これを防止するために、制御基板を収納する基板ボックスには、種々の対策が施されている。例えば、制御基板を取り出そうとして基板ボックスを開く場合には、基板ボックスの一部を物理的に破壊しなければならない構造として、基板ボックスが開かれたか否かを明確に判断できるようにすると共に、基板ボックスから制御基板が露出する部位をコネクタ部分のみに限定して、基板ボックスの外から制御基板に不正な改造ができない構造としたものがある（例えば、特許文献１参照）。
【先行技術文献】
【特許文献】
【０００４】
【特許文献１】特開２００１−７９２３９号公報
【発明の概要】
【発明が解決しようとする課題】
【０００５】
しかしながら、上記特許文献１に記載の基板ボックス構造においては、ベース部材の凸部が制御基板のコネクタ群を配置した側の裏面から支持する構成であり、この凸部を無くしてしまったり、突出量を少なくしたりすると、制御基板のコネクタ群に配線コネクタを接続する時の押圧力に抗することができず、制御基板が撓んだり亀裂が生じたりする可能性もあるため、上記の問題を解決するには、根本的な構造変更が必要である。
【０００６】
そこで、本発明は、上記問題点に鑑み、簡便に組み立てが可能な基板ボックスを備える遊技機の提供を目的とする。
【課題を解決するための手段】
【０００７】
上記の課題を解決するために、請求項１に係る発明は、遊技機の動作に関わる電気的制御を実行するための電子部品とコネクタを実装した制御基板を内包する基板ボックスを備える遊技機において、前記基板ボックスは、前記制御基板を基板ボックスに収納した状態で前記電子部品やコネクタを実装する実装面と対向する上面と、該上面から前記制御基板側に延設し、前記制御基板の収納部を形成する収納側壁と、を備える収納部材と、前記制御基板を基板ボックスに収納した状態で前記電子部品やコネクタを実装する実装面の裏面と対向する底面と、該底面から前記制御基板側に起立した外側起立壁と、を有し、前記収納部材の収納部の開口を塞ぐベース部材と、から構成し、前記収納部材は、前記制御基板に設けたコネクタを挿通するためのコネクタ挿通開口部と、前記基板ボックス組み付けの際に、前記制御基板を載置するための制御基板載置部と、を備え、前記ベース部材は、長手方向に亘って前記外側起立壁の内側に、該外側起立壁と平行に形成され、前記制御基板側に起立し、端縁部が前記電子部品やコネクタを実装する実装面の裏面と対向する内側起立壁を備え、前記収納部材の収納側壁に係合部を形成し、前記ベース部材の外側起立壁には、前記係合部を受け入れる受入部と、該受入部に係合部を受け入れた状態で係合方向へスライドさせた場合に前記ベース部材と収納部材とが離間するのを防止する離間防止部と、を形成し、前記収納部材の前記収納側壁を前記ベース部材の前記内側起立壁と前記外側起立壁の間のスライド溝に嵌め込み、前記収納部材の係合部を前記ベース部材の受入部から受け入れ、前記ベース部材に対して前記収納部材を所定の係合方向へスライドすることにより、受入部から受け入れられた係合部が離間防止部まで移動して、前記収納部材と前記ベース部材が基板ボックスとして適切な状態に係合されるものとし、前記収納部材と前記ベース部材を係合した際、前記内側起立壁の端縁部と前記制御基板載置部との間に、前記制御基板の板厚より大きい間隔となる基板保持空部を形成することを特徴とする。
【発明の効果】
【０００８】
請求項１に係る遊技機によれば、遊技機の動作に関わる電気的制御を実行するための電子部品とコネクタを実装した制御基板を内包する基板ボックスを備える遊技機において、前記基板ボックスは、前記制御基板を基板ボックスに収納した状態で前記電子部品やコネクタを実装する実装面と対向する上面と、該上面から前記制御基板側に延設し、前記制御基板の収納部を形成する収納側壁と、を備える収納部材と、前記制御基板を基板ボックスに収納した状態で前記電子部品やコネクタを実装する実装面の裏面と対向する底面と、該底面から前記制御基板側に起立した外側起立壁と、を有し、前記収納部材の収納部の開口を塞ぐベース部材と、から構成し、前記収納部材は、前記制御基板に設けたコネクタを挿通するためのコネクタ挿通開口部と、前記基板ボックス組み付けの際に、前記制御基板を載置するための制御基板載置部と、を備え、前記ベース部材は、長手方向に亘って前記外側起立壁の内側に、該外側起立壁と平行に形成され、前記制御基板側に起立し、端縁部が前記電子部品やコネクタを実装する実装面の裏面と対向する内側起立壁を備え、前記収納部材の収納側壁に係合部を形成し、前記ベース部材の外側起立壁には、前記係合部を受け入れる受入部と、該受入部に係合部を受け入れた状態で係合方向へスライドさせた場合に前記ベース部材と収納部材とが離間するのを防止する離間防止部と、を形成し、前記収納部材の前記収納側壁を前記ベース部材の前記内側起立壁と前記外側起立壁の間のスライド溝に嵌め込み、前記収納部材の係合部を前記ベース部材の受入部から受け入れ、前記ベース部材に対して前記収納部材を所定の係合方向へスライドすることにより、受入部から受け入れられた係合部が離間防止部まで移動して、前記収納部材と前記ベース部材が基板ボックスとして適切な状態に係合されるものとし、前記収納部材と前記ベース部材を係合した際、前記内側起立壁の端縁部と前記制御基板載置部との間に、前記制御基板の板厚より大きい間隔となる基板保持空部を形成するので、制御基板載置部に制御基板が載置された状態で、収納部材の上方よりベース部材を取り付ければ、係合部と受入部により、基板ボックスを簡便に組み立てることができ、作業性を高めることができる。
【図面の簡単な説明】
【０００９】
【図１】本発明に係る遊技機の正面図である。
【図２】遊技機の裏面図である。
【図３】遊技機制御装置の正面図である。
【図４】図３におけるＩＶ−ＩＶ線の概略断面図である。
【図５】図３におけるＶ−Ｖ線の概略断面図である。
【図６】図３におけるＶＩ−ＶＩ線の概略断面図である。
【図７】遊技制御装置の分解斜視図である。
【図８】収納部材の収納側斜視図である。
【図９】ベース部材の正面図である。
【図１０】遊技制御装置の組み立て工程の前段説明図である。
【図１１】遊技制御装置の組み立て工程の後段説明図である。
【図１２】係合部の係合過程説明図である。
【図１３】係止部の係止過程説明図である。
【図１４】遊技制御装置の内部における遊技制御基板の保持状態説明図である。
【図１５】マーキングを施した収納部材とマーキングを施したベース部材の係合状態説明図である。
【図１６】遊技盤裏面構成部材の前面側斜視図である。
【図１７】遊技盤裏面構成部材の正面図である。
【図１８】第１〜第４制御装置係合受部と第１〜第４制御装置係合凸部との係合状態説明図である。
【図１９】第５，第６制御装置係合受部と第５，第６制御装置係合凸部との係合状態説明図である。
【発明を実施するための形態】
【００１０】
次に、本発明に係る遊技機の実施形態を添付図面に基づき詳細に説明する。図１に示すのは、パチンコ遊技を行える遊技機１の正面図で、遊技機本体１ａの側方に遊技球を貸し出すためのプリペイドカードを処理するカードユニット１ｂを備えるものとしてある。
【００１１】
遊技機本体１ａは、機枠２の前面側に額縁状の前面枠３を開閉可能に設け、該前面枠３に開設した窓部の前面側にガラス枠４と開閉扉５を開閉可能に軸着し、窓部の背面側には窓部を塞ぐようにして遊技盤６を装着し、前面枠３の下部前面側に球受皿７と発射操作ハンドル８などを取り付けてある。
【００１２】
また、開閉扉５には遊技球貯留手段として球供給皿９を設け、該球供給皿９より打球発射機構（図示省略）へ供給された遊技球が弾発され、遊技盤６の遊技部６ａ（主として、ガラス枠４の装飾部材４ａにより覆われていない遊技窓部４ｂから遊技者が視認できる状態になっている領域）へ到達する。なお、遊技部６ａには、障害釘が植設されると共に、大型の表示装置６ｂや球の入賞状態が変化する変動入賞装置６ｂといった大型の遊技装置のほか、種々の入賞具や風車が配置されている。
【００１３】
また、プリペイドカードで遊技球を借り受ける場合、カードユニット１ｂのカード挿入口１０にプリペイドカードを挿入すると、そのプリペイドカードでの球貸が可能であれば使用可能な度数が度数表示器１１に表示され、球貸スイッチ１２を操作する毎に単位度数分（例えば、１００円に相当する１度数分）の球貸動作が行われる。なお、カード返却スイッチ１３が操作されると、プリペイドカードがカード挿入口１０より排出される。
【００１４】
上述した遊技機１の裏側には、図２に示すように、遊技機としての諸機能を実現するための機構（例えば、島設備より供給される遊技球を受けて貯留して球貸要求に応じた球排出や賞球排出を行う機構、遊技盤に設けられた各種入賞口へ入賞して回収された遊技球や何れの入賞口にも入賞せずにアウト口から回収された遊技球を機外の回収球搬送路へ導く遊技球回収機構など）のほか、遊技盤６に設けた遊技装置の動作制御などを行うことで遊技の進行を統括的に制御する遊技制御装置１４、球排出や打球の発射制御を行う排出・発射制御装置１５、各部へ所定の電源を供給する電源装置１６等を適所に設けてある。なお、本実施形態における遊技制御装置１４は、遊技盤６の裏面下方部に装着される遊技盤裏面構成部材１７に着脱可能に取り付けるものとしてある。
【００１５】
次に、上述した遊技制御装置１４の詳細な構造について、図３〜図９に基づいて説明する。なお、遊技制御装置１４は、遊技機本体１ａの裏面側（正確には、遊技盤６の裏面に取り付けられる遊技盤裏面構成部材１７の裏面側）に取り付けられるため、取り付け時には作業者に向う面（正面）が、取り付け後には遊技機の背面側に位置することとなるが、以下の説明においては、取り付け作業を基準に考え、遊技盤裏面構成部材１７に取り付けられる側を背面、その逆の面を前面として説明する。
【００１６】
図３は、遊技制御装置１４の正面図であり、同図中のＩＶ−ＩＶ断面を図４に、同図中のＶ−Ｖ断面を図５に、同図中のＶＩ−ＶＩ拡大断面を図６に各々示す。また、遊技制御装置１４は、図７に示すように、遊技機の動作に関わる電気的制御を実行するための電子部品とコネクタを実装した略四角形状の遊技制御基板２０を、ベース部材３０と収納部材４０よりなる基板ボックス５０に内包したものである。そして、収納部材４０の収納部側斜視図を図８に、ベース部材３０の収納側である正面図を図９に各々示す。
【００１７】
基板ボックス５０は、略板状のベース部材３０と、該ベース部材３０によって塞がれる略四角形状の開口を一面に有し、該開口より遊技制御基板２０を収納する収納部４０ａを形成した収納部材４０と、これらベース部材３０と収納部材４０とを固着する固着手段（後に詳述）とから構成する。また、基板管理番号シール５１や遊技制御基板シール５２が貼られている。なお、本構成例で示すベース部材３０および収納部材４０は、透光性の合成樹脂からなるものとし、内部に収容された遊技制御基板２０を外から視認できる。なお、基板ボックス５０は、平板なベース部材３０を下にして置かれる状態が常態となるので、内部に収納された遊技制御基板２０を基準にした場合、収納部材４０は上部に、ベース部材３０は下部に位置するものとなる。
【００１８】
収納部材４０は、収納部４０ａの奥側から開口縁に向って起立する４つの収納側壁たる上部収納側壁４１ａ、下部収納側壁４１ｂ、第１側部収納側壁４１ｃ、第２側部収納側壁４１ｄを備え、これら収納側壁４１ａ〜４１ｄの内側面に沿って遊技制御基板２０が収納されることとなり、遊技制御基板２０の移動範囲が収納側壁４１ａ〜４１ｄの内側に規制されることとなる。
【００１９】
また、収納部材４０には、収納部４０ａの最奥部でありコネクタ実装面２１と対向する上面４２の一部を開口側に向けて膨出させた３つの階段状の第１段部（上下部収納側壁４１ａ，４１ｂと上面４２の間に形成された段部）である第１階段部４３、第２階段部４４、第３階段部４５を形成し、第１〜第３階段部４３〜４５の収納部４０ａ側には、遊技制御基板２０のコネクタ実装面２１の一部が当接する平坦な遊技制御基板載置部４３ａ，４４ａ，４５ａを各々形成すると共に、遊技制御基板２０に設けたコネクタ２１ａ…を挿通するコネクタ挿通開口部４３ｂ，４４ｂ，４５ｂを各々設ける。なお、これら第１〜第３階段部４３〜４５は、収納部材４０の正面側（収納部４０ａが開口していない側）から見ると、凹部になる。
【００２０】
ここで、遊技制御基板２０に設けるコネクタ２１ａは一側部に集中させないで、少なくとも、収納側壁の相対向する二側壁（本構成例においては、上部収納側壁４１ａと下部収納側壁４１ｂ）に対して各々階段部が設けられるように配置（本構成例においては、上部起立壁４１ａ側に第１階段部４３を、下部起立壁４１ｂ側に第２，第３階段部４４，４５を各々配置）することにより、遊技制御基板２０のコネクタ実装面２１が遊技制御基板載置部４３ａ，４４ａ，４５ａに当接する位置を、収納部４０ａ内における遊技制御基板２０の適正な収容位置として用いることができる。なお、遊技制御基板２０のコネクタ実装面２１において、遊技制御基板載置部４３ａ，４４ａ，４５ａに当接しない部位には、当該遊技機１の動作に関わる電気的制御を実行するための電子部品２１ｂを実装してある。これら電子部品２１ｂは、実装密度を高めるために、非コネクタ実装面２２（コネクタ実装面２１の裏面）側にも設けられる場合もある。
【００２１】
すなわち、収納部４０ａの開口が上向きとなるように置いた収納部材４０に対し、上から遊技制御基板２０を落とし込むと、コネクタ実装面２１の三箇所が遊技制御基板載置部４３ａ，４４ａ，４５ａに当接して、各コネクタ２１ａ…が各コネクタ挿通開口部４３ｂ，４４ｂ，４５ｂより外部に露出した状態で、傾くこともなく安定的に保持されるのである。なお、遊技制御基板２０の非コネクタ実装面２２側は、後述するベース部材３０によって位置決め・保持される。
【００２２】
また、遊技制御基板２０は、遊技制御プログラムを格納し、検査装置により読み取り可能な固有の識別情報を書換え不能に格納したワンチップマイクロコンピュータ（図示省略）を備えるものとしと、このワンチップマイクロコンピュータの固有識別情報を読み出し可能な検査端子２３を備えるものとし、収納部材４０は、遊技制御基板２０を収納した状態で、検査端子２３の接続部２３ａ（突出端に接続開口を有する部位）とほぼ面一となる位置まで上面４２より開口側へ膨出させた第２段部（上下収納側壁４１ａ，４１ｂと上面４２との間に形成した段部）としての検査端子用段部４６を形成する。この検査端子用段部４６は、収納部４０ａ側においては、第１〜第３階段部４３〜４５の遊技制御基板載置部４３ａ〜４５ａよりも突出量が低く、収納部材４０の正面側（収納部４０ａが開口していない側）から見ると、比較的浅い凹部となる。
【００２３】
上記検査端子用段部４６には、検査端子２３の接続部２３ａを外部に露出させるように、接続部２３ａと略同形状の検査端子用開口４６ａを設けると共に、遊技制御基板２０を収納した状態で、検査端子２３の周囲を囲うように遊技制御基板２０のコネクタ実装面２１側に延設した第１離隔壁４６ｂと第２離隔壁４６ｃを形成する。なお、第１，第２離隔壁４６ｂ，４６ｃの基板側端縁部は遊技制御基板載置部４３ａ〜４５ａとほぼ面一となるようにしてある。すなわち、遊技制御基板２０が収納部４０ａ内に収納された時、検査端子用段部４６によって遊技制御基板２０のコネクタ実装面２１から検査端子２３の接続部２３ａまでの間に形成される検査端子用空部は、下部収納側壁４１ｂと第２階段部４４の側壁と第１，第２離隔壁４６ｂ，４６ｃによって収納部４０ａから離隔されることとなる。
【００２４】
斯くすることによって、検査端子用段部４６に設けた検査端子用開口４６ａと検査端子２３の接続部２３ａとの隙間から不正部材を侵入させたとしても、検査端子用空部よりも更に内奥部へ不正部材を侵入させることが極めて困難となり、不正防止に極めて効果的である。なお、本構成例においては、検査端子用空部を離隔する際の離隔壁として、下部収納側壁４１ｂと第２階段部４４の側壁を流用したが、検査用端子２３がコネクタ２１ａ…の配設位置から隔たっているために収納側壁４１ａ〜４１ｄや階段部の側壁を流用できない場合には、検査端子２３を四囲にそれぞれ離隔壁を設けるようにしても良い。また、離隔壁は四側に設ける必要はなく、多角形や円形であっても良いが、検査端子２３として採用されている角形のコネクタに対しては、四側壁を以て離隔すると、無駄に検査端子用空部が広くならず、実用的である。
【００２５】
また、上部収納側壁４１ａの外側（図８においては上方）には、ほぼ等間隔で突出する比較的小さな四角ブロック状の第１係合突出片４７ａ，第２係合突出片４７ｂ，第３係合突出片４７ｃを形成し、下部収納側壁４１ｂの外側（図８においては下方）にも，ほぼ等間隔で突出する比較的小さな四角ブロック状の第４係合突出片４７ｄ，第５係合突出片４７ｅ，第６係合突出片４７ｆを形成し、第１側部収納側壁４１ｃの外側（図８においては右側）には、適宜離隔した位置で突出する比較的小さな四角ブロック状の第７係合突出片４７ｇ，第８係合突出片４７ｈを形成する。
【００２６】
これら第１〜第８係合突出片４７ａ〜４７ｈは、後述するベース部材３０と係合するための係合部として機能する。なお、第２側部収納側壁の外側（図８においては左側）には、断面がＬ字状の第１ストッパ片４７ｉ，第２ストッパ片４７ｊを設け、これら第１，第２ストッパ片４７ｉ，４７ｊがベース部材３０の側壁に当接することで、ベース部材３０と収納部材４０との固着位置が規制されるようになっている。
【００２７】
また、上記第１，第２ストッパ片４７ｉ，４７ｊの間には、複数（例えば４つ）のカシメ部４８…を設けてある。このカシメ部４８は、取り外し不可能な方法でベース部材３０と収納部材４０とを一体にするためのもので、その詳細は後に詳述する。また、上部収納側壁４１ａに設けた第２係合突出片４７ｂの近傍には、収納側係止片４９を設けてある。この収納側係止片４９は、収納部材４０にベース部材を一旦係合させると容易に脱することのないように係止するためのもので、その詳細は後に詳述する。
【００２８】
一方、ベース部材３０は、基板ボックス５０に収納された状態の遊技制御基板２０における非コネクタ実装面２２と対向する底面３０ａの周縁から起立した外側起立壁である上部外側起立壁３１ａ、下部外側起立壁３１ｂ、第１側部外側起立壁３１ｃ、第２側部外側起立壁３１ｄを備え、これら外側起立壁３１ａ〜３１ｄのうち相対向する２つの外側起立壁である上部外側起立壁３１ａと下部外側起立壁３１ｂの内側に、夫々上部内側起立壁３２ａと下部内側起立壁３２ｂを形成してある。これにより、上部外側起立壁３１ａと上部内側起立壁３２ａとの間に上記収納部材４０の上部収納側壁４１ａを嵌入可能な溝幅のスライド溝が生じ、下部外側起立壁３１ｂと下部内側起立壁３２ｂとの間に上記収納部材４０の下部収納側壁４１ｂを嵌入可能な溝幅のスライド溝３０ｂが生ずることとなる。なお、ベース部材３０の底面３０ａには、補強リブが格子状に適宜設けてある。
【００２９】
すなわち、上記収納部材４０の上部収納側壁４１ａを上部外側起立壁３１ａと上部内側起立壁３２ａとの間のスライド溝に嵌め込み、上記収納部材４０の下部収納側壁４１ｂを下部外側起立壁３１ｂと下部内側起立壁３２ｂとの間のスライド溝に嵌め込むと、ベース部材３０と収納部材４０をスライド溝に沿ってスライドさせることができる。なお、本構成例の基板ボックス５０では、このスライド動作によってベース部材３０と収納部材３０との係脱を行える構造としてあり、その具体的構造を、図１０および図１１に示す遊技制御装置１４の組み立て工程を参照しつつ詳述する。
【００３０】
まず、収納部４０ａの開口が上向きとなるように置いた収納部材４０に対して、上方から遊技制御基板２０を落とし込むと、コネクタ実装面２１におけるコネクタ２１ａ…を設けた箇所が、収納部材４０に形成した階段部４３〜４５の各遊技制御基板載置部４３ａ，４４ａ，４５ａに当接して、各コネクタ２１ａ…が各コネクタ挿通開口部４３ｂ，４４ｂ，４５ｂより外部に露出した状態となる。
【００３１】
次いで、遊技制御基板２０の非コネクタ実装面２２が上向きに収納された収納部材４０の上方よりベース部材３０を被せ、収納部材４０の上部収納側壁４１ａを上部外側起立壁３１ａと上部内側起立壁３２ａとの間のスライド溝に、収納部材４０の下部収納側壁４１ｂを下部外側起立壁３１ｂと下部内側起立壁３２ｂとの間のスライド溝に嵌め込む。しかして、収納部材４０の上部収納側壁４１ａ及び下部収納側壁４１ｂ（スライド溝に嵌入する２つの収納側壁）の外側適所に突出する凸片状の第１係合凸部である第１〜第６係合突出片４７ａ〜４７ｆに各々対応するように、ベース部材３０の上部外側起立壁３１ａの外側には第１係合受部としての第１係合受入部３３ａ，第２係合受入部３３ｂ，第３係合受入部３３ｃを、下部外側起立壁３１ｂには第４係合受入部３３ｄ，第５係合受入部３３ｅ，第６係合受入部３３ｆを各々設けてある。
【００３２】
上記第１〜第６係合受入部３３ａ〜３３ｅは何れも同じ構造であり、収納部材４０の第１〜第６係合突出片４７ａ〜４７ｆを受け入れる第１受入口としての受入口３３１と、該受入口３３１に第１〜第６係合突出片４７ａ〜４７ｆを受け入れた状態で固着方向（図１１（ａ）における矢印３の方向）へベース部材３０をスライドさせた場合にベース部材３０と収納部材４０とが離間するのを防止する第１離間防止部としての離間防止部３３２とを備える。
【００３３】
そして、図１０に示すように、ベース部材３０の第１〜第６係合受入部３３ａ〜３３ｆの受入口３３１が開いている側より収納部材４０の第１〜第６係合突出片４７ａ〜４７ｆを挿入すれば（図１２（ａ）参照）、何ら障害となるものがないので、第１〜第６係合突出片４７ａ〜４７ｆは第１〜第６係合受入部３３ａ〜３３ｆ内に入ることができ（図１２（ｂ）参照）、図１１（ａ）に示すように、収納部材４０の上部収納側壁４１ａおよび下部収納側壁４１ｂがベース部材３０の各スライド溝に嵌まり込んだ状態となる。この状態から、図１１（ｂ）に示すように、ベース部材３０をスライドさせると、第１〜第６係合突出片４７ａ〜４７ｆを挿入した側には離間防止部３３２が位置することとなり（図１２（ｃ）参照）、ベース部材３０を収納部材４０から外すことができなくなる。
【００３４】
このように、ベース部材３０と収納部材４とで各々対となる第１係合受入部３３ａおよび第１係合突出片４７ａ、第２係合受入部３３ｂおよび第２係合突出片４７ｂ、第３係合受入部３３ｃおよび第３係合突出片４７ｃ、第４係合受入部３３ｄおよび第４係合突出片４７ｄ、第５係合受入部３３ｅおよび第５係合突出片４７ｅ、第６係合受入部３３ｆおよび第６係合突出片４７ｆによって複数の係合手段が構成される。
【００３５】
また、ベース部材３０の第１側部外側起立壁３１ｃには、上記収納部材４０の第１側部収納側壁４１ｃに形成した第７，第８係合突出片４７ｇ，４７ｈに対応する部位に、各々第７係合受入部３３ｇおよび第８係合受入部３３ｈを設け、収納部材４０に被せたベース部材３０を固着方向へスライドさせた場合には、第７，第８係合突出片４７ｇ，４７ｈが各々第７，第８係合受入部３３ｇ，３３ｈの受入穴３３３に嵌まり込むようにしてある。すなわち、これらも係合部として機能するのである。なお、収納部材４０に被せたベース部材３０を固着方向へスライドさせた場合には、ベース部材３０の第２側部外側起立壁３１ｄが収納部材４０に設けた第１，第２ストッパ片４７ｉ，４７ｊに当接して、適正な装着位置で止まるようにしてある。
【００３６】
なお、これらの係合部のみによってベース部材３０を収納部材４０に係合させた場合、反対側へベース部材３０をスライドさせると、再びベース部材３０を取り外せる状態となるのであるが、遊技制御装置の組み立て作業においては、適正な係合位置に保持されることが好ましい。そこで、本構成例の基板ボックス５０には、適正な係合状態で保持できる係止手段を設けてある。
【００３７】
上記係止手段を構成するのは、ベース部材３０の上部外側起立壁３１ａに設けた第１係止部としてのベース側係止爪３４と、収納部材４０の上部収納側壁４１ａに設けた第１係止片としての収納側係止片４９である。これらベース側係止爪３４と収納側係止片４９とで行われる係止の過程を示すのが図１３である。
【００３８】
図１３（ａ）に示すように、ベース側係止爪３４は、反固着方向（図１３においては左方向）に向かって突出量が増えるガイド面と、該ガイド面の最大突出部位に連なる規制面（上部外側起立壁３１ａに直交する切り立った面）を備える。収納側係止片４９は、上部収納側壁４１ａに接続される接続部４９ａと、該接続部４９ａの非接続側端（図１３においては下側端）に連なって上部収納側壁４１ａとほぼ平行な状態に配した板状の作用部４９ｂと、該作用部４９ｂの端縁より上部収納側壁４１ａの壁面から遠ざかる向きに延設された操作部４９ｃと、上記作用部４９ｂの上面に突設した被第１係止部としての収納側係止爪４９ｄを備える。
【００３９】
上記収納側係止爪４９ｄは、収納部材４０にベース部材３０を被せた時に、ベース側係止爪３４を固着方向へ移動させた時に通過することとなるスライド軌跡の範囲に位置するもので、上記ベース側係止爪３４とほぼ同じ傾斜状態のガイド面と、該ガイド面の最大突出部位に連なる規制面（上部収納側壁４１ａに直交する切り立った面）を備える。従って、ベース側係止爪３４のガイド面と収納側係止爪４９ｄのガイド面が対峙した状態（図１３（ａ）参照）からベース部材３０を固着方向へスライドさせてゆくと、ベース側係止爪３４に収納側係止爪４９ｄが乗り上げて収納側係止片４９の作用部４９ｂが撓み（図１３（ｂ）参照）、そのままベース部材３０をスライドさせて行くと、収納側係止爪４９ｄの規制面がベース側係止爪３４の規制面に至り、収納側係止片４９の作用部４９ｂの撓みが解消されて通常の状態（上部収納側壁４１ａとほぼ平行な状態）に戻ることで、収納側係止爪４９ｄの規制面とベース側係止爪３４の規制面が向き合う状態となる（図１３（ｃ）参照）。
【００４０】
このように、収納側係止爪４９ｄの規制面とベース側係止爪３４の規制面が互いに向き合う状態になると、収納部材４０に対してベース部材３０を反固着方向へスライドさせようとしても、収納側係止爪４９ｄとベース側係止爪３４の互いの規制面が障害となって、反固着方向へスライドさせることができなくなる。すなわち、ベース部材３０に設けたベース側係止爪３４と、固着方向へのスライドによってベース側係止爪３４を乗り越えると反固着方向への移動を規制する収納側係止爪４９ｄを備える収納側係止片４９と、によって係止部が構成されるのである。
【００４１】
また、ベース部材３０を収納部材４０から取り外す場合は、収納側係止片４９の操作部４９ｃに指先などで引き起こす（作用部４９ｂの自由端側を上部収納側壁４１ａから離隔させる）ことで、収納側係止爪４９ｄとベース側係止爪３４の係止状態を解除し、そのままベース部材３０を反固着方向へスライドさせればよい。
【００４２】
なお、収納側係止片４９の自由端側に位置する操作部４９ｃは、上部収納側壁４１ａの外側面から離隔しているので、遊技制御装置１４の組み立て作業やメンテナンス作業を行っている作業者の袖口が収納側係止片４９に引っ掛かって、収納側係止片４９が折れてしまう等、思わぬ事故が起きる可能性がある。そこで、本構成例で示す基板ボックス５０においては、図３に示すように、ベース部材３０と収納部材４０とを係合させた状態で収納側係止片４９の近傍に位置する第２係合受部４７ｂ（ベース部材３０側の係合部）の突出壁外面（図３においては上部面）は、収納側係止片４９の突出端（作用部４９ｃの最端部）よりも外側（図３においては上側）に位置させるようにした。斯くすれば、収納側係止片４９に引っ掛かる向きから袖口等が近づいても、収納側係止片４９に至る前に第２係合受部４７ｂによって阻止されることとなり、作業性の向上に寄与できる。
【００４３】
上述したように係合手段および係止手段により、ベース部材３０を収納部材４０に取り付けた後、これらの再分離を困難にする固着手段として、収納部材３０に設けたカシメ部４８…と、これらと対になるようベース部材３０に設けた４つのカシメ受部３５…を用いる。図６に示すように、ベース部材３０を収納部材４０に取り付けた状態においては、カシメ部４８のビス孔４８ａからカシメ受部３５のビス穴３５ａが連通し、例えば単方向ネジのビス５３でカシメ部４８とカシメ受部３５を固定し、更に、カシメ部４８の開口４８ｂを塞ぐように樹脂製のビス押さえ部材５４を嵌め込み、例えば超音波溶着によってビス押さえ部材５４を開口部４８ｂの内面へ強固に取り付ける。
【００４４】
このように、ビス押さえ部材５４によってビス５３が操作されることを困難にすることと併せて、ビス５３自体もネジ回しで普通に外せないものであることから、カシメ部４８とカシメ受部３５を物理的に損壊させてしまわなければ、ベース部材３０と収納部材４０を分離することができないのである。なお、カシメ部４８とカシメ受部３５は４対設けてあるので、最大で４回の固着が可能であり、また、破損しているカシメ部４８とカシメ受部３５の数から、基板ボックス５０を開いた回数を視覚的に確認できる。
【００４５】
以上のようにして基板ボックス５０の内部に封入された遊技制御基板２０は、コネクタ実装面２１が収納部材４０の遊技制御基板載置部４３ａ，４４ａ，４５ａに当接する位置（図１４（ａ）参照）、もしくは、非コネクタ実装面２２がベース部材３０の上部内側起立壁３２ａおよび下部内側起立壁３２ｂの端縁部に当接する位置（図１４（ｂ）参照）で定置されることとなる。
【００４６】
この時、収納部材４０側で遊技制御基板２０のコネクタ実装面２１が当接する遊技制御基板載置部４３ａ，４４ａ，４５ａと、ベース部材３０側で遊技制御基板２０の非コネクタ実装面２２が当接する上部内側起立壁３２ａおよび下部内側起立壁３２ｂの端縁部との間には、遊技制御基板２０の板厚よりも若干広い基板保持空部５５が形成されるように、本構成例においては、上部収納側壁４１ａおよび下部収納側壁４１ｂの高さを、上部内側起立壁３２ａおよび下部内側起立壁３２ｂよりも長め（基板保持空部５５の高さに相当する長さだけ長め）になるよう設定した。
【００４７】
斯くすれば、収納部４０ａが上側に開口するように置いた収納部材４０へ、上方から遊技制御基板２０を落とし込み、遊技制御基板２０のコネクタ２１ａ…がコネクタ挿通開口部４３ｂ，４４ｂ，４５ｂから挿通されてコネクタ実装面２１の一部が第１〜第３階段部４３〜４５の遊技制御基板載置部４３ａ，４３ｂ，４４ｂに当接する状態で、収納部材４０の上方よりベース部材３０を取り付け、収納部材４０の上部収納側壁４１ａおよび下部収納側壁４１ｂを、ベース部材３０の上部外側起立壁３１ａと上部内側起立壁３２ａとの間のスライド溝および下部外側起立壁３１ｂと下部内側起立壁３２ｂとの間のスライド溝に各々嵌め込んでも、ベース部材３０側の上部内側起立壁３２ａの端縁部および下部内側起立壁３２ｂの端縁部が遊技制御基板２０の非コネクタ実装面２２に当接することはなく、そのまま固着方向へベース部材４０をスライドしても、遊技制御基板２０が傷つくことはない。
【００４８】
従って、収納部材４０側で遊技制御基板２０のコネクタ実装面２１が当接する遊技制御基板載置部４３ａ，４４ａ，４５ａと、ベース部材３０側で遊技制御基板２０の非コネクタ実装面２２が当接する上部内側起立壁３２ａおよび下部内側起立壁３２ｂの端縁部との間に基板保持空部５５を形成することにより、遊技制御基板２０を収納部材４０に収納した状態でベース部材３０を固着方向へスライドさせて固着する際に、遊技制御基板２０が破損してしまうことを効果的に防止できる。しかも、この基板保持空部５５を設けたことにより、基板保持空部５５内で遊技制御基板２０がその間を自由に移動できることから、遊技機１に対して外部から加わった衝撃が遊技制御基板２０へ直に加わることを防止する緩衝作用を期せる。
【００４９】
なお、上記保持空部５５が形成されるように、遊技制御基板載置部４３ａ，４４ａ，４５ａと上下部内側起立壁３２ａ，３２ｂとの間の間隔としては、遊技制御基板２０の板厚以上で板厚の２倍未満とすることが望ましい。更に好ましくは、標準的な遊技制御基板２０の板厚である１．６ｍｍに対して、遊技制御基板載置部４３ａ，４４ａ，４５ａと上下部内側起立壁３２ａ，３２ｂとの間隔を２．０ｍｍとすることである。
【００５０】
また、ベース部材３０と収納部材４０とが適正な取り付け状態にあるか否かを一目で確認できるように、収納部材４０に設けた第１マーク５６ａ…（断続的な四角列）とベース部材３０に設けた第２マーク５６ｂ…（断続的な四角列）とが適正位置に合わさることで、チェックライン５６（相補的に四角列が連続して並んだ長四角）となるようにしても良い（図１５参照）。すなわち、収納部材４０にベース部材３０を被せただけでは第１マーク５６ａ…と第２マーク５６ｂ…とが離れているが（図１５（ａ）参照）、固着方向にスライドさせると第１マーク５６ａ…と第２マーク５６ｂ…とが互いに近づいてゆき（図１５（ｂ）参照）、適切な係止位置に至ると第１マーク５６ａ…と第２マーク５６ｂ…とが一列に並んで１本のチェックライン５６として視認されるようになるのである（図１５（ｃ）参照）。このようなマーキングをベース部材３０と収納部材４０に施しておけば、遊技制御装置１４の組み立て作業時にベース部材３０と収納部材４０の取り付け状態の適否を容易に判断できるし、遊技店へ出荷された後においては、基板ボックス５０が不正に開けられたような場合の判断に供することができる。無論、マーキングは、本構成例に限らず、ベース部材３０と収納部材４０の取り付け状態の適否を判断できれば、如何様なものでも良い。
【００５１】
次に、上述した遊技制御装置１４を遊技盤構成部材１７に取り付ける具体的構造について説明する。
【００５２】
遊技盤裏面構成部材１７は、遊技盤６の裏面に取り付けらるための第１取付部１７１と第２取付部１７２を左右両側に有し、これら第１，第２取付部１７１，１７２から若干手前（遊技機１においては裏面側）に起き上がった位置に遊技制御装置取付部１７３が形成されている。なお、第２取付部１７２には、上下２箇所の軸受部１７２ａ，１７２ｂが設けられ、遊技盤６の裏面側に設けた回動軸（図示省略）を上記軸受部１７２ａ，１７２ｂの軸受孔に挿通させることで蝶番機構として機能させ、他方の第１取付部１７１に設けた止着部材挿入孔１７１ａ，１７１ｂより適宜な止着部材を挿通させて遊技盤６の裏面に係脱自在に固定する。また、遊技制御装置取付部１７３の一側方（例えば、第２取付部１７２側）には、遊技盤用外部出力端子板収納部１７３ｂを設け、ここに遊技盤用外部出力端子板を収納する。
【００５３】
上記遊技制御装置取付部１７３はほぼ平坦な遊技制御装置取付面１７３ａを備え、この遊技制御装置取付面１７３ａに遊技制御装置１４の当着面（ベース部材３０の背面）を安定して押し当てることができるようになっている。そして、遊技盤裏面構成部材１７の遊技制御装置取付面１７３ａに、遊技制御装置１４の当着面を当てた状態で所定方向（例えば、図１７中の右方向）へスライドさせることにより、遊技制御装置１４を遊技盤裏面構成部材１７に係合させる係合手段として、遊技制御装置１４には、ベース部材３０の上部外側起立壁３１ａおよび下部外側起立壁３１ｂ（スライド方向に平行な２つの壁面である上部壁と下部壁）より各々外側に突出する凸片状の第１係合凸部としての第１制御装置係合突出片５７ａ，第２制御装置係合突出片５７ｂ，第３制御装置係合突出片５７ｃ，第４制御装置係合突出片５７ｄを設け、遊技盤裏面構成部材１７には、第１制御装置係合受入部１７４ａ，第２制御装置係合受入部１７４ｂ，第３制御装置係合受入部１７４ｃ，第４制御装置係合受入部１７４ｄを設けた。
【００５４】
第１〜第４制御装置係合受入部１７４ａ〜１７４ｄは、図１８に示すように、遊技制御装置１４の第１〜第４制御装置係合突出片５７ａ〜５７ｄを受け入れる第２受入口としての受入口１７５１と、該受入口１７５１に第１〜第４制御装置係合突出片５７ａ〜５７ｄを受け入れた状態で係合方向（図１８（ａ）においては右方向）へのスライドをガイドするスライドガイド壁１７５２と、該スライドガイド壁１７５２に沿って第１〜第４係合突出片５７ａ〜５７ｄを係合方向へスライドさせた状態において遊技制御装置１４が遊技盤裏面構成部材１７が離間するのを防止する第２離間防止部としての離間防止部１７５３を備える。
【００５５】
更に、第１〜第４制御装置係合受入部１７４ａ〜１７４ｄのうち、少なくとも、遊技制御装置１４の第１制御装置係合突出片５７ａ，第２制御装置係合突出片５７ｂ（上部壁側に設けた係合凸部）に対応する側の第１制御装置係合受入部１７４ａ，第２制御装置係合受入部１７４ｂには、第１，第２制御装置係合突出片５７ａ，５７ｂをガイドするスライドガイド壁１７５２の内面側が係合方向に向かって徐々に膨出する位置決めガイド部１７５４を形成してある。
【００５６】
従って、遊技制御装置１４を遊技盤裏面構成部材１７に係合させる際には、第１〜第４制御装置係合受入部１７４ａ〜１７４ｄのスライドガイド壁１７５２に沿って第１〜第４制御装置係合突出片５７ａ〜５７ｄを係合方向へスライドさせることで、第１，第２制御装置係合受入部１７４ａ，１７４ｂの位置決めガイド部１７５４によって、遊技制御装置１４と遊技盤裏面構成部材１７との適切な位置決めが行われる。これにより、遊技盤裏面構成部材１７の第１〜第４制御装置係合受入部１７４ａ〜１７４ｄの各受入口１７５１を広めに形成し、これらの受入口１７５１…に対して遊技制御装置１４の第１〜第４制御装置係合突出片５７ａ〜５７ｄの位置合わせをすれば良いので、取付作業の効率化を期せる。加えて、遊技制御装置１４を係合方向へスライドさせて係合状態となった時には、安定した取り付け状態となるように位置決めされるので（本構成例においては、遊技盤裏面構成部材１７を介して遊技盤６に取り付けられた時に下方となる第３，第４制御装置係合受入部１７４ｃ，１７４ｄ側に寄せて位置決めするので）、取付状態の信頼性も高いものとなる。
【００５７】
また、本構成例においては、遊技制御装置１４の基板ボックス５０における係合方向の側壁部（ベース部材３０の第２側部起立壁３１ｄ）にも外側に突出する凸片状の第５制御装置係合突出片５７ｅ，第６制御装置係合突出片５７ｆを設け、遊技盤裏面構成部材１７には、第５制御装置係合受入部１７４ｅ，第６制御装置係合受入部１７４ｆを設けてある。これにより、図１９に示すように、遊技盤裏面構成部材１７の遊技盤取付面１７３ａに遊技制御装置１４を押し当てて、係合方向へ遊技制御装置１４をスライドさせると、第５，第６制御装置係合突出片５７ｅ，５７ｆが第５，第６制御装置係合受入部１７４ｅ，１７４ｆの受入凹部１７５５に嵌まり込んで、係合状態となる。
【００５８】
更に、本構成例においては、上記のようにして、遊技盤裏面構成部材１７の適正位置に係合された遊技制御装置１４を係止するための係止部として、遊技制御装置係止片１７６を設けてある、遊技制御装置係止片１７６は遊技制御装置取付部１７３の第１取付部１７１側（図１６および図１７においては左側）に設け、遊技制御装置取付面１７３ａよりも若干突出した係止凸部１７６ａを遊技制御装置取付面１７３ａよりも奥になるように撓ませることができる。よって、遊技制御装置１４を遊技盤裏面構成部材１７に取り付ける場合、遊技制御装置１４の当着面（ベース部材３０の背面）を遊技制御装置取付面１７３ａに押し当てた時、ベース部材３０の背面に押されて遊技制御装置係止片１７６の係止凸部１７６ａは奥へ押されて退き、第１〜第４制御装置係合突出片５７ａ〜５７ｄを第１〜第４制御装置係合受入部１７４ａ〜１７４ｄの受入口１７５１へ入れ込む障害とはならない。
【００５９】
そして、遊技制御装置１４を係合方向へスライドさせてゆき、第１〜第６制御装置係合突出片５７ａ〜５７ｆと第１〜第６制御装置係合受入部１７４ａ〜１７４ｆが適正な係合状態となる位置において、基板ボックス５０における一側面（ベース部材３０の第１側部外側起立壁３１ｃ）が係止凸部１７６ａよりも内側に入ると、遊技制御装置係止片１７６が通常の状態（遊技制御装置取付面１７３ａと面一な状態）に戻り、係止凸部１７６ａがベース部材３０の第１側部外側起立壁３１ｃの外面に係止される。逆に、係止凸部１７６ａがベース部材３０の第１側部外側起立壁３１ｃの外面から外れるように遊技制御装置係止片１７６を撓ませれば、遊技制御装置１４を反係合方向へスライドさせることができ、遊技盤裏面構成部材１７から遊技制御装置１４を取り外せる。
【００６０】
以上本発明を実施形態に基づき具体的に説明したが、本明細書で開示された実施の形態は全て例示であって、開示された技術に限定されるものではないと考えるべきである。すなわち、本発明の技術的な範囲は、上記の実施形態における説明に基づいて制限的に解釈されるものではなく、あくまでも特許請求の範囲の記載に従って解釈すべきであり、特許請求の範囲の記載技術と均等な技術および特許請求の範囲内での全ての変更が含まれる。
【符号の説明】
【００６１】
１    遊技機
６    遊技盤
１４    遊技制御装置
１７    遊技盤裏面構成部材
２０    遊技制御基板
２１    コネクタ実装面
２１ａ  コネクタ
２１ｂ  電子部品
３０    ベース部材
３０ａ  底面
３０ｂ  スライド溝
３１ａ  上部外側起立壁
３１ｂ  下部外側起立壁
３１ｃ  第１側部外側起立壁
３１ｄ  第２側部外側起立壁
３２ａ  上部内側起立壁
３２ｂ  下部内側起立壁
３３ａ〜３３ｆ  第１〜第６係合受入部
４０    収納部材
４０ａ  収納部
４１ａ  上部収納側壁
４１ｂ  下部収納側壁
４１ｃ  第１側部収納側壁
４１ｄ  第２側部収納側壁
４２    上面
４３〜４５  第１〜第３階段部
４３ａ〜４５ａ  遊技制御基板載置部
４３ｂ〜４５ｂ  コネクタ挿通開口部
４７ａ〜４７ｆ  第１〜第５係合突出部
５０    基板ボックス
５５    基板保持空部
【図１】
2010234122.tif 000003
【図２】
2010234122.tif 000004
【図３】
2010234122.tif 000005
【図４】
2010234122.tif 000006
【図５】
2010234122.tif 000007
【図６】
2010234122.tif 000008
【図７】
2010234122.tif 000009
【図８】
2010234122.tif 000010
【図９】
2010234122.tif 000011
【図１０】
2010234122.tif 000012
【図１１】
2010234122.tif 000013
【図１２】
2010234122.tif 000014
【図１３】
2010234122.tif 000015
【図１４】
2010234122.tif 000016
【図１５】
2010234122.tif 000017
【図１６】
2010234122.tif 000018
【図１７】
2010234122.tif 000019
【図１８】
2010234122.tif 000020
【図１９】
2010234122.tif 000021